(57)【要約】【課題】便座に着座した人体の腰周りを効率良く空調し、不快感を除去できるコンパクトなトイレ空調装置を提供する。【解決手段】空気を送風する送風ファン４と、送風ファンの風を導くダクト６と、送風ファンにより送風された空気を加熱し温風とするため、ダクト内に配置されたヒータ５と、送風ファンの風量とヒータの発熱量を制御する制御部１１と、送風ファンとダクトとヒータと制御部を収納する本体ケース２と、本体ケースの前方に配置された便座３と、ダクトと連通して本体ケース２の前側面の中央から外れた両側の一方である片側に開口し、便座３の内方向に温風または涼風を送風する吹き出し口８とを備えたトイレ空調装置である。【選択図】図１
2006109897.tif 000002
【特許請求の範囲】
【請求項１】
空気を送風する送風ファンと、前記送風ファンの風を導くダクトと、前記送風ファンにより送風された空気を加熱し温風とするため前記ダクト内に配置されたヒータと、前記送風ファンの風量と前記ヒータの発熱量を制御する制御部と、前記送風ファンと前記ダクトと前記ヒータと前記制御部を収納する本体ケースと、前記本体ケースの前方に配置された便座と、前記ダクトと連通して前記本体ケースの前側面の中央から外れた両側の一方である片側に開口し、前記便座の内方向に温風または涼風を送風する吹き出し口とを備えたトイレ空調装置。
【請求項２】
吹き出し口は、便座の内向きとし、前記内向き方向の風量が外向きの風量より大きくなるように構成した請求項１記載のトイレ空調装置。
【請求項３】
吹き出し口は、その内部に縦方向に配置した板状の風向指示板を設けてなる請求項１または請求項２に記載のトイレ空調装置。
【請求項４】
本体ケースの前側面に凹部を形成し、前記凹部の一部に吹き出し口を臨ましてなる請求項１〜３のいずれか１項に記載のトイレ空調装置。
【請求項５】
人体の有無を検知する人体検知手段または着座の有無を検知する着座センサーを有し、制御部は前記人体検知手段からの検知信号に基づき吹き出し口から温風または着座センサーの検知信号に基き吹き出し口から涼風を送風させる請求項１〜４のいずれか１項に記載のトイレ空調装置。
【請求項６】
室温を検知または推測可能な温度検出素子を有し、制御部は吹き出し口から吹き出す温風または涼風を、前記室温検出素子による室温に応じて選択し送風させる請求項１〜５のいずれか１項に記載のトイレ空調装置。
【請求項７】
吹き出し口は、便座の表面に対して鋭角に向けてなる請求項１〜６のいずれか１項に記載のトイレ空調装置。
【請求項８】
請求項１から請求項７に記載したものにあって、そのヒータと送風ファンを、温水局部洗浄便座の乾燥ユニットに共用してなるトイレ空調装置。
【請求項９】
請求項１から請求項８に記載したトイレ空調装置を搭載した温水局部洗浄便座。
【発明の詳細な説明】
【技術分野】
【０００１】
本発明は、トイレ室の涼感・暖房用として用いられる空調装置において、人体に効率よく風を送風し、省エネルギーで快適なトイレ空調装置に関するものである。
【背景技術】
【０００２】
トイレ室の温度不快感を解消する装置として従来、暖房便座装置および温風式のトイレ暖房装置が提案されている。特に暖房便座装置は、使用者が便座に着座した時に冷たく感じるヒヤリ感を与えないようにしたもので、一般家庭に広く普及している。しかし、冬場の腰周りの冷えは解消されないものであった。
【０００３】
一方、便座に接触する大腿部のヒヤリ感の解消だけでなく、温風によるトイレ暖房装置もあった（例えば、特許文献１参照）。図５（ａ）に示す本体ケース２は、その前側面の略両端もしくは図５（ｂ）に示す本体ケース２は略中央から、便座３に着座している人体の露出している臀部に図示矢印で示すように温風を送風することで、冬場の室温低下時に便座表面だけでなく人体を昇温し、寒さを与えないような提案もなされている。
【特許文献１】特開２００３−３１０４８６号公報
【発明の開示】
【発明が解決しようとする課題】
【０００４】
しかしながら、従来の温風によるトイレ暖房装置において、本体ケース２の前側面の略中央に温風吹き出しの開口部７ｃがある場合では、使用者の衣服により開口部７ｃが閉塞され局所的に高温となる可能性があり危険である。また、一般的な温水洗浄便座においては中央部には人体局部の洗浄用のノズルユニットがあるため、温風吹き出しの開口部を配置するのにスペース的な問題も考えられる。
【０００５】
一方、本体ケース２の前側面の略両端に温風吹き出しの開口部７ａ、７ｂがある場合では、人体の外側に温風が逃げやすく、またファンやヒータ（いずれも図示せず）を一つにするとダクトの構成が難しく、それぞれの開口部７ａ、７ｂに対してファンやヒータを一つずつ設けると広いスペースを必要とするという問題があった。
【０００６】
上記従来の問題点に鑑み、本発明が解決しようとする課題は、便座に着座した人体の腰周りを効率良く空調し、不快感を除去できるコンパクトなトイレ空調装置を提供することにある。
【課題を解決するための手段】
【０００７】
本発明のトイレ空調装置は上記課題を解決するために、空気を送風する送風ファンと、送風ファンの風を導くダクトと、前記送風ファンにより送風された空気を加熱し温風とするため前記ダクト内に配置されたヒータと、前記送風ファンの風量と前記ヒータの発熱量を制御する制御部と、前記送風ファンと前記ダクトと前記ヒータと前記制御部を収納する本体ケースと、前記本体ケースの前方に配置された便座と、前記ダクトと連通して前記本体ケースの前側面の中央から外れた両側の一方である片側に開口し、便座の内方向に向かって温風または涼風を送風する吹き出し口とで構成されたものである。
【０００８】
上記手段によれば、便座の内方向に向かって送風される温風または涼風が人体の外側へ逃げにくくなって腰周りに当たり効率的に空調が行え、かつ片側のみの吹き出し口により省スペース化が図れる。
【発明の効果】
【０００９】
本発明のトイレ空調装置は、送風された温風または涼風が便座に着座した人体の外側へ逃げ難くなり腰全体を暖め、または涼しくしなくても充分暖かさ、または涼感を得ることができ、省エネルギーで快適なトイレ空調装置を提供することができる。
【発明を実施するための最良の形態】
【００１０】
第１の発明は、空気を送風する送風ファンと、送風ファンの風を導くダクトと、前記送風ファンにより送風された空気を加熱し温風とするため前記ダクト内に配置されたヒータと、前記送風ファンの風量と前記ヒータの発熱量を制御する制御部と、前記送風ファンと前記ダクトと前記ヒータと前記制御部を収納する本体ケースと、前記本体ケースの前方に配置された便座と、前記ダクトと連通して前記本体ケースの前側面の中央から外れた両側の一方である片側に開口し、前記便座の内方向に向かって温風または涼風を送風する吹き出し口とを備えたものである。
【００１１】
これにより、ヒータと送風ファンによる温風、または送風ファンだけによる涼風は本体ケースの前側面の中央から外れた両側の一方である片側に開口した吹き出し口から便座の内周部に向かって送風され、便座に着座した人体の腰部分の外側へ逃げにくくなり、便座に着座して皮膚を露出して最も寒さを感じる腰、すなわち人体の深部温に近い腰椎から仙椎を集中して暖める、または涼しくするため、腰全体を暖め、または涼しくしなくても充分暖かさと涼感を得ることができるとともに、吹き出し口は本体ケースの前側面の中央から外れた両側の一方である片側に位置させて省スペース化が図れ、一般的に狭いトイレ空間において効果的なトイレ空調装置にできる。
【００１２】
第２の発明は、特に第１の発明における吹き出し口を、便座の内向きとし、前記内向き方向に向かう風量が外向きの風量より大きくなるように構成したもので、吹き出し口が本体ケースの前側面の中央になくとも、便座に着座し皮膚を露出して最も寒さを感じる人体の深部温に近い腰椎から仙椎に温風または涼風を集中させることができ、従って周辺に風が逃げるのを抑え、低電力で高い空調効果を上げることができる。
【００１３】
第３の発明は、特に第１または第２の発明の吹き出し口にはその内部に縦方向に配置した板状の風向指示板を設けたので、温風または涼風が風向指示板に案内されて便座内に送風され、便座内向きの複雑なダクトを構成することなく、使用者が着座する便座の中央方向に送風できる。
【００１４】
第４の発明は第１〜第３のいずれかの発明における本体ケースの前側面に凹部を設け、前記凹部の一部に吹き出し口を臨ました構成とするもので、便座に着座した人の脱衣により前記吹き出し口近辺が閉塞されたとしても、前記凹部の吹き出し口のない脇部分を通じて風が逃げるため熱が籠もる心配もなくなる。
【００１５】
第５の発明は、第１〜第４のいずれかの発明において、人体の有無を検知する人体検知手段または人体の便座への着座の有無を検知する着座センサーを有し、制御部は前記人体検知手段からの検知信号に基づき吹き出し口から温風または着座センサーの検知信号に基き涼風を送風させるもので、使用者がトイレ室に入ってきてから着座するまでの間で人体検知手段が使用者の存在を検知し、前記人体検知手段の検知信号に基づき制御部が送風を開始させるため、待機電力を必要としない省エネルギーで快適なトイレ空調装置を提供できる。
【００１６】
また、温風送風時は、トイレ室に使用者が入ってきた瞬間に送風ファン、ヒータへの通電を開始し、着座するまでの時間で所定の温度に温風温度を保持するので、ヒータの熱容量による時間遅れで便座への着座瞬間にヒヤリ感を感じたりすることがなく、短時間で適温に昇温するために瞬間的に大電力を供給し、所定温度を超えて使用者に不快感を与えるだけでなく火傷をもたらす危険がなく安全なトイレ空調装置を提供できる。一方、涼風送風時においても人体検知手段による着座検知信号に基づいて制御部が送風を開始させるので、夏場の高温多湿時にはヒータへの通電を停止し、涼風を送風すると皮膚からの蒸泄によるベタツキを除去でき涼感を与え、かつ待機電力のない省エネルギーな装置を提供できる。
【００１７】
第６の発明は、第１〜第５のいずれかの発明において、室温を検知または推測可能な温度検出素子を有し、制御部は吹き出し口から吹き出す温風または涼風を、前記室温検知素子による室温に応じて選択し送風するもので、温度検出素子と制御部により、トイレ室の温度に応じて使用者にとって快適な環境を自動的に認識し、温風または涼風を選択して送風するので、他の部屋からトイレに入室する際の室内温度差を低減でき人体の循環器系にストレスを与えない快適、かつ人体に優しいトイレ空調装置を提供できる。
【００１８】
第７の発明は、第１〜第６のいずれかの発明において、吹き出し口を、便座の表面に対して鋭角に向けたトイレ空調装置で、便座に着座した人体の露出している腰周りに向かっているため、確実に人体の露出部に直接最適な風を送風できる。
【００１９】
第８の発明は、第１〜第６のいずれかの発明におけるトイレ空調装置のヒータと送風ファンを、温水局部洗浄便座の乾燥ユニットに共用したもので、トイレ空調装置としての構成をコンパクトにできる。
【００２０】
第９の発明は、第１〜第８の発明に記載したトイレ空調装置を搭載した温水局部洗浄便座で、第１〜第８の発明に記載したトイレ空調装置の作用効果が得られ、快適な環境のトイレ室を形成できる。
【００２１】
以下本発明の実施の形態について、図面を参照しながら説明する。なお、本実施の形態によって発明が限定されるものではない。また、各実施の形態の説明において、同一構成並びに作用効果を奏するところには同じ符号を付して重複した説明を行わないものとする。
【００２２】
（実施の形態１）
図１は、本発明の実施の形態１におけるトイレ空調装置の概略構成図で、図２はトイレ空調装置の吹き出し口部を上方から見た断面図である。トイレ空調装置１は、便器１ａの後端部に横方向に載せた横長の本体ケース２と本体ケース２に回動自在に取り付け、本体ケース２の前側にある便座３とで構成されている。この本体ケース２は、用便後の人体局部に温水を噴射して洗浄する局部洗浄ノズル（図示せず）を本体ケース２の前側面中央から便座３内に出没させる温水局部洗浄装置（図示せず）および洗浄後の局部を乾燥させる乾燥ユニット（図示せず）を内蔵したケースを利用している。
【００２３】
本体ケース２内には、空気を送風する送風ファン４とその下流側に送風ファン４から送られてくる風を加熱する電気ヒータ等のヒータ５が風を導くダクト６内に配置されている。また、本体ケース２は便座３に対向する本体ケース２の前側面の略全域にわたり内部に向かって窪ませた横長の凹部７を形成し、その凹部７の底の一部に、本体ケース２の前側面中央から外れた両側の一方である片側に開口した温風または涼風を吹き出す吹き出し口８を開口し、かつダクト６に連通させている。
【００２４】
吹き出し口８は、便座３に着座した使用者（人体ともいう）１２の腰部分に相対する高さであって、かつ便座３の内方向に向かって温風または涼風を送風するように吹き出し口８の周壁８ａを曲げて便座３の内向きとし、前記内向き方向に向かう風量が人体に対する外向きの風量より大きくなるように構成している。
【００２５】
温度検出素子１０は、吹き出し口８の上流側にダクト６を通る送風の温度およびダクト６を風が通らない時にはトイレ室の温度を測定するために配設されており、また、温度検出素子１０の信号に基づいて便座３の表面温度を推定し、送風ファン４の回転数およびヒータ５の発熱量を制御するマイクロコンピュータおよび周辺回路からなる制御部１１も本体ケース２内に配設している。
【００２６】
そして、制御部１１は、本体ケース２内に設け、使用者１２のトイレ内における存在の有無を検知する人体検出手段１３と、便座３に対する使用者１２の着座の有無を検知する着座センサー１４とも電気的に接続し、人体検出手段１３が使用者１２をトイレ室で検知した信号と温度検出素子１０によるトイレ室の温度を取り込んで、トレ室が低温時にはヒータ５を適切な加熱量に加熱し、かつ送風ファン４を適切な回転数で回転させ、一方、トイレ室が高温時には便座３に着座した使用者１２を着座センサー１４が検知した信号を取り込んだ時から、ヒータ５は加熱させず、送風ファン４のみを、トイレ室温に対応した回転数で回転させる制御をする。
【００２７】
また、制御部１１は便座３に着座した使用者１２による着座センサー１４の検知信号が、使用者１２の便座３からの立ち上がりで検知信号がなくなるとヒータ５の加熱を停止し、トイレ室から使用者１２が出たことを検知した人体検出手段１３による不検知信号に基き送風ファン４の回転を停止するように制御する。
【００２８】
また、便座３の温度などを設定できるリモートコントローラ１５は、本体ケース２と無線通信で信号の送受信を行えるように構成されており、リモートコントローラ１５には、吹き出し口８から送風される温風または涼風の温度や風量を変更できる送風調節手段１６が配設されている。
【００２９】
また図２に示すように、吹き出し口８には縦方向の一つである垂直方向に掛け渡した２枚の風向指示板９ａ、９ｂが内蔵され、温風または涼風を便座３の内方向に案内している。なお、吹き出し口８のスペースによっては、この風向指示板９ａ、９ｂは増減させてもよい。従って、風向指示板９ａ、９ｂは吹き出し口８からの温風または涼風を、周壁８ａとともに便座３の内側に向かうように案内する構成にしているため、吹き出し口８が本体ケース２の前側面中央から外れた両側の一方で、本体ケース２の前側面に向かって右片側に位置しておっても、使用者１２が最も暖か感を必要とする腰周辺部を効果的に暖めることができる。
【００３０】
また、図１に示すように吹き出し口８は、便座３と成す角度が鋭角になるように構成しており、便座３に着座して脱衣している使用者１２の露出している腰周辺部に向かって、やや横方向から温風または涼風を送風できるように構成している。従って、確実に使用者１２の露出部に直接最適な風を送風でき、トイレ内全体を快適な温度状態に設定しなくても、夏場は皮膚から蒸泄される水分を除去でき涼しく、冬場は暖か感を得ることができ、省エネルギーなトイレ空調装置になる。
【００３１】
なお、本体ケース２内にスペースがあれば吹き出し口８の位置は、より下方向に配置しても良く、その際には吹き出し口８と使用者１２の腰周辺部との相対位置関係により送風の方向を最適な位置に変更するのが望ましい。本実施の形態では、吹き出し口８の位置が本体ケース２前側面のやや上方に配設してあるため、便座に対し鋭角な角度で送風を行っているが、吹き出し口８の位置が本体ケースの下方に配置できるスペースがあれば、便座３と平行に送風しても良く、使用者１２と吹き出し口８の相対位置により送風方向は様々変更するのが望ましい。
【００３２】
以上の構成によって、使用者１２の入室や着座を人体検出手段１３や着座センサー１４によって検知すると、直ちに温度検出素子１０によってトイレ室の温度を測定し、室温に応じた最適の風を送風する。すなわち、トイレ室が高温時には涼風を、トイレ室が低温時には温風を制御部１１で選択し送風する。涼風の送風時には、ヒータ５への通電を切って送風ファン４のみを回転させる。一般に風速が１ｍ上昇するに従い体感温度は１℃下がると言われるため、制御部１１は室温の増加にともない送風ファン４の回転数を増加させるように設定してある。
【００３３】
特に本実施の形態において、ヒータ５と送風ファン４による温風、または送風ファン４だけによる涼風は、図２に示すように本体ケース２の前側面の中央から外れた両側の一方の片側の吹き出し口８から便座３の内周部に向かって点線矢印のように送風され、便座に着座した人体１２の腰部分の外側へ逃げにくくなり、便座に着座して皮膚を露出して最も寒さを感じる腰、すなわち人体の深部温に近い腰椎から仙椎を集中して暖めるため、腰全体を暖めなくても充分暖かさを得ることができる。そして、吹き出し口８は本体ケース２の前側面の中央から外れた両側の一方である片側に位置しているので、本体ケース２の内部に、用便後の人体局部に温水を噴射して洗浄する局部洗浄ノズル（図示せず）を本体ケース２の前側面中央から便座３内に出没させる温水局部洗浄装置を有する場合においては、省スペース化が図れ、一般的に狭いトイレ空間において効果的なトイレ空調装置にできる。
【００３４】
また、本実施の形態では、吹き出し口８から吹出される風量は、便座３の内側向き方向に向かう風量が、外側向きの風量より大きくなり、従って吹き出し口８が本体ケース２の前側面の中央になくとも、便座に着座し皮膚を露出して最も寒さを感じる人体の深部温に近い腰椎から仙椎に温風または涼風を集中させることができ、周辺に風が逃げるのを抑え、低電力で高い空調効果を上げることができる。
【００３５】
また、本実施の形態では、吹き出し口８に板状の風向指示板９ａ、９ｂを縦に設け、温風または涼風を便座３の内側へ案内送風しているので、便座３の内周向きに送風するためにダクトを複雑に構成する必要がなくなり、使用者が着座する便座３の中央方向に送風できる。
【００３６】
また、本実施の形態では吹き出し口８を、本体ケース２の前側面を窪ました凹部７の一部に臨ました構成にしているので、便座３に着座した使用者１２の脱衣により吹き出し口８の近辺が仮に閉塞されたとしても、凹部７の吹き出し口８のない脇部分を通じて風が逃げるため熱が籠もる心配もなくなる。
【００３７】
また、本実施の形態では、人体１２の有無を検知する人体検知手段１３または人体１２の便座３への着座の有無を検知する着座センサー１４を有し、使用者がトイレ室に入ってきてから着座するまでの間で人体検知手段または着座センサーが使用者の存在を検知し、人体検知手段または着座センサーの検知信号に基づき制御部１１が送風を開始させるため、待機電力を必要としない省エネルギーで快適なトイレ空調装置を提供できる。
【００３８】
また、本実施の形態では、室温を検知する温度検出素子１０を有し、制御部１１は吹き出し口８から吹き出す温風または涼風を、温度検出素子１０による室温に応じて選択し送風するので、トイレ室の温度に応じて使用者にとって快適な環境を自動的に認識し、温風または涼風を選択して送風でき、他の部屋からトイレに入室する際の室内温度差を低減でき人体の循環器系にストレスを与えない快適、かつ人体に優しいトイレ空調装置を提供できる。
【００３９】
なお、制御部１１は温風の送風時は設定温度と室温との差により、差が増大するに従いヒータ５への通電量を増加させるよう制御する。そのため、夏場において高温高湿となりがちなトイレ室の空間において、コンプレッサー等の冷却手段を用いずにコンパクトな冷却装置を実現でき、冬場の低温時には入室直後から着座中最も寒さを感じる腰周りに直接温風が送風され、暖か感を提供できる。なお、温風の送風時に大風量で送風した場合、低温やけどや皮膚の乾燥からくる、かゆみの発生の可能性も考慮し、ファンの回転数は小さめに設定するのがよい。
【００４０】
また、春や秋等で人体が快適に生活できる室温である略２０〜２５℃の範囲では送風を停止することで、使用者１２が必要なときのみ温風もしくは涼風を制御部１１が自動的に選択し送風する省エネルギーなトイレ空調装置が実現できる。さらに、人体検出手段１３により使用者１２が入室した時点から温風の送風を開始することで、脱衣直後の最も寒いタイミングに所定温度の温風を送風することができ、トイレ使用時、常に快適となる。そして、涼風の送風時は着座センサー１４によって着座を検知したと同時に送風することでより省エネルギーとなる。
【００４１】
また、使用者１２によっては着座位置が異なったり、排泄時の姿勢等の違いから吹き出し口８から腰周辺部までの距離が異なる可能性があるが、本実施の形態では吹き出し口８から送風される温風の温度や風量を変更できる送風調節手段１６が配設されているリモートコントローラ１５を用いることで、使用者１２の好みの風量、風温に調節できるように構成しているので快適である。この送風調節手段１６はリモートコントローラ１５に限定するものではなく、本体ケース２や便座３等の操作しやすい位置にあればどこでも良いとともに、さらに、温水洗浄便座への利用の際には他の部品との共用化も可能である。
【００４２】
また、本実施の形態では温度検出素子１０がトイレ室の温度を検知するようにしたが、推測可能な温度検出素子であっても良い。
【００４３】
（実施の形態２）
図３は、実施の形態１で説明した温水局部洗浄装置を有する便座３に、実施の形態１のトイレ空調装置を搭載した実施の形態２におけるトイレ空調装置の内部の構成図である。本実施の形態は、便座３に実施の形態１で説明したように局部洗浄装置と洗浄後の局部を乾燥させる乾燥ユニットを備えているので、実施の形態１の発明であるトイレ空調装置の送風ファンとヒータを前記乾燥ユニットにも共用化する構成にした点で実施の形態１の発明と異なり、それ以外の構成並びに作用効果は基本的に同じである。
【００４４】
すなわち、トイレ空調装置１のダクト６はヒータ５に近い下流側で二つに分岐し、一方は腰周りを暖め、または涼しくするため温風または涼風を吹出す吹き出し口８と連通させ、他方は吹き出し口８の下方において、そのまま本体ケース２の前側面に開口し、洗浄した局部を乾かす温風を吹出す乾燥用の吹き出し口８ｂを構成する。吹き出し口８ｂには図２と同様の風向指示板９ｃが配置してある。また、ダクト６の分岐個所には、電動弁等の風路切替部１７が設けられ、制御部１１からの信号を受けそれぞれの吹き出し口８および吹き出し口８ｂへの風量を制御することが可能である。
【００４５】
上記実施の形態において、トイレ室に入り脱衣して便座３に着座して用便する使用者１２の腰周りに向って温風または涼風を吹出す吹き出し口８の作用は、実施の形態１で説明したと同様にして行われる。そして、特に本実施の形態では、排泄終了後の局部乾燥のため、使用者１２がリモートコントローラ１５に設けた乾燥スイッチ（図示せず）を押すことで制御部１１が信号を受信して風路切替部１７を吹き出し口８ｂに通じるダクトに切り替え、送風ファン４およびヒータ５による温風を乾燥用の吹き出し口８ｂから吹出せ、洗浄で濡れた局部を乾燥させる。
【００４６】
このように局部乾燥用の乾燥ユニットとして、トイレ空調装置１の送風ファン４やヒータ５を共有することで、省スペース化および低コスト化が図れる。また、一般的な温水局部洗浄便座では、おしり洗浄用ノズルによって占められている本体ケース２の前側面の中央部から外れた両側の一方である片側に吹き出し口８および吹き出し口８ｂを構成するため、収まりがよい。
【００４７】
なお、本実施の形態で脱臭材と送風ファンおよびダクトから構成される脱臭ユニットを温水局部洗浄便座に備えているものでは、前記脱臭ユニットにもトイレ空調装置の送風ファン４およびダクト６の共用化が考えられる。
【００４８】
（実施の形態３）
図４は、実施の形態３におけるトイレ空調装置の内部の構成図である。本実施の形態は、実施の形態１で説明した吹き出し口を、さらに便座に対して鋭角を成して下方に向けた点で実施の形態１の発明と異なり、それ以外の構成並びに作用効果は基本的に同じである。
【００４９】
トイレ空調装置１の本体ケース２は、吹き出し口８ｃを、便座３に着座した使用者（人体ともいう）１２の腰部分に相対する高さであって、かつ便座３の内方向に向かって温風または涼風を送風するように吹き出し口８ｃの周壁８ａ（図２を参照）を曲げて便座３の内向きとし、前記内向き方向に向かう風量が人体に対する外向きの風量より大きくなるように構成し、更に便座３の表面に対して鋭角を成すように下方へ向けている。
【００５０】
なお、本体ケース２には便器１ａの洗浄水用の貯水タンク１９も内蔵しているものである。
【００５１】
上記実施の形態において、トイレ室に入り脱衣して便座３に着座して用便する使用者１２の腰周りに向って温風または涼風を吹出す吹き出し口８ｃの作用は、実施の形態１で説明したと同様にして行われる。そして、特に本実施の形態では、図４に示すように吹き出し口８ｃが便座３と成す角度が鋭角になっており、人体１２の露出している腰周辺部に向かっているため、確実に人体１２の露出部に直接最適な風を送風でき、トイレ内全体を快適な温度状態に設定しなくても、夏場は皮膚から蒸泄される水分を除去でき涼しく、冬場は暖か感を得ることができ、省エネルギーなトイレ空調装置になる。また、貯水タンク１９と一体化を図ることで省スペース化も実現される。
【産業上の利用可能性】
【００５２】
以上のように、本発明にかかるトイレ空調装置は、便座に着座した使用者の腰周辺部を効果的に暖めることができるので、温水洗浄便座に利用可能である。
【図面の簡単な説明】
【００５３】
【図１】本発明の実施の形態第１におけるトイレ空調装置の内部構成図
【図２】同実施の形態第１におけるトイレ空調装置の吹き出し口部分の上面の断面図
【図３】本発明の実施の形態２におけるトイレ空調装置を搭載した温水局部洗浄便座の内部構成図
【図４】本発明の実施の形態３におけるトイレ空調装置の内部構成図
【図５】（ａ）従来の暖房便座の上面図（ｂ）他の従来の暖房便座の上面図
【符号の説明】
【００５４】
１トイレ空調装置
２  本体ケース
３  便座
４  送風ファン
５  ヒータ
６  ダクト
７  凹部
８、８ｂ、８ｃ  吹き出し口
９ａ、９ｂ、９ｃ  風向指示板
１０  温度検出素子
１１  制御部
１２  使用者
１３  人体検出手段
１４  着座センサー
１５  リモートコントローラ
【図１】
2006109897.tif 000003
【図２】
2006109897.tif 000004
【図３】
2006109897.tif 000005
【図４】
2006109897.tif 000006
【図５】
2006109897.tif 000007